(57)【特許請求の範囲】
【請求項１】
歩行補助具としての杖と携帯用簡易椅子の機能を兼ね備え、椅子として使用する際に脚となる杖本体部と、座部となる握り部からなる兼用杖において、杖本体部は中央の支柱（３）と、その外周部に設けた複数本の脚（４）を有し、前記支柱（３）の上部に脚（４）の上端部を枢着した脚支持体（６）を設け、握り部は一対の把手（１）を開いて座面（２）を水平に展開できるように各把手（１）の端部を枢着した把手支持体（５）からなり、前記支柱（３）の下部に脚（４）を開閉するための張出し棒（１０）、更に閉脚時に脚（４）を支柱（３）に沿って固定するストッパーリング（９）を設け、バネストッパー（８）を下方に付勢するバネ（７）を前記支柱（３）を囲繞させて設け、該バネストッパー（８）を介して張出し棒（１０）をほぼ水平に動かすことによって前記脚（４）を開くようにした開脚式携帯用椅子兼用杖。
【発明の詳細な説明】
【０００１】
【発明の属する技術分野】
本発明は歩行する際の補助具の杖として使用できると同時に、椅子としての機能も有する携帯用椅子兼用杖に関するものである。
【０００２】
【従来の技術】
椅子兼用の杖はすでに幾つかの提案がなされている。しかしそれらは、椅子としての機能が不満足で、安定性に不安があったり、また逆に大袈裟でスマートさに欠けるものであったり、携帯性に難がある等の問題がある。例えば、特開２０００−３７２１５号公報に記載の「多目的椅子」は、傘の把手のような形状の握り部分をそのまま腰掛部として使用するため、腰掛けた状態が不安定であり、またそれを支える三脚部も安定感がない。また、特開２００１−２５４０５号公報に記載の「折りたたみ式ステッキ＆イス器具」は、取手の支え棒が華奢で腰掛け布を堅固に支えることはできず、なお改良の余地がある。また、盆のような座面を付けた兼用椅子や一本足の兼用椅子も考案されているが、大げさで携帯性に難があったり、使用感が満足できるものではない。
【０００３】
椅子兼用杖は実用上便利であることが期待され、潜在的需要はあるものと思われる。しかし、前記のよう状況から、未だ広く普及するには至らず、店頭に並んでいるものをたまに見かけたり、僅かにテレビ放送のゴルフ中継などで散見するのみである。
【０００４】
【発明が解決しようとする課題】
本発明は上記のような事情から、安全で使い勝手が良く、しかも携帯容易な椅子兼用杖を新規に提供することを目的とするものである。
【０００５】
【課題を解決するための手段】
すなわち、本発明は、歩行用補助具としての杖と携帯用簡易椅子の機能を兼ね備え、椅子として使用する際に脚となる杖本体部と、座部となる握り部からなる多目的の兼用杖に関するものである。
前記杖の本体部は中央の支柱と、その外周部に設けた複数本の脚を有し、前記支柱の上部に脚の上端部を枢着した脚支持体を設け、握り部は一対の把手を開いて座面を水平に展開できるように各把手の端部を枢着した把手支持体からなる。前記支柱の下部には脚を開閉するための張出し棒、支柱を囲繞して、その張出し棒を下方に付勢するバネ、およびバネの下端を支えるバネストッパーを設ける。更に閉脚時に脚を支柱に沿って固定するためのストッパーリングを設けたものである。
このような椅子兼用杖は実際の使用上、安全で使い勝手が良く、しかも軽量で構造が簡単であるから、携帯に便利でありしかも安価に提供することができる。
【０００６】
【発明の実施の形態】
以下に、本発明を更に詳細に説明する。
図１は本発明の椅子兼用杖の１実施例の正面図であり、椅子として用いる際に、把手１および脚４を開いた状態を示す。この椅子兼用杖を杖として使用する際には、図２に一部縦断側面図で示すように、上部の一対の把手１を閉じて握り部とし、下部の３本の脚４を支柱３に沿って閉じて棒状の杖（杖本体部）にする。
椅子として使用する場合、本体上部の把手１を二方に開いて各々をほぼ水平に倒し、把手１の間に挟み込んだ座面２のシートを水平に開くとともに、脚４の下部にあるストッパーリング９を把手支持体５まで上方向にスライドさせる。なお、把手支持体５の輪縁５ｂはストッパーリング９の上方移動を係止するために設けたが、必ずしも必要ではない。
このような操作により、支柱３に沿って設けられた脚４の拘束は開放され、支柱３を囲繞するバネ７の力が張出し棒１０に働き、脚４を押し広げて三脚状になることによって本体部が上部の座部を支える。
【０００７】
把手１には、可撓性のシートを横棒１ａの間に取付けてあり、把手１をほぼ水平に開くことによりシートが開いて座面２を形成する。二つの把手１は適宜のヒンジにより把手支持体５の上部のブロック５ａに枢着する。一対の把手１を垂直に立てると把手は座面２のシートを二つ折りにして挟み込み杖としての握り部を形成する。この一対の把手１は一体化するように適宜の止め具（図示せず）により固定することもできる。止め具としては、一方の把手１の適宜の個所に突起を設け、他方の把手１にそれを受ける凹部を設け嵌め合わせるか、ホックのついた簡単なバンドで止めるなど適宜の方法が採用できる。また、把手支持体５は把手１を水平に開き、座面２に人の荷重が加わった際にその荷重を支える役割を担う。
【０００８】
杖本体部は支柱３と、支柱３の外縁をとり囲む状態で折り畳まれる脚４からなる。図示の脚４は３本であるが、特にこれに限定されない。３本の脚４の場合はパイプを縦に３分割したものを使用することができ、従って各々の脚４の断面形状は円弧状である。そのように構成すると、脚が閉じた状態では複数本の脚４が合わさって内側に支柱３を包み込む状態になり、全体として円柱状の形状になるので、杖としての外観が良好で、しかも円柱体であるから外力に対して強固であり、実際の使用に好適である。
ストッパーリング９は内径が上記脚４からなる円柱体の外径よりも僅かに大きいリング状のものであり、支柱３と脚４とを囲繞した状態で、円柱体に沿ってスライドさせることが可能である。脚４を折り畳んだ際に、脚４の下端に設けた係止片４ａまで下方にスライドさせて脚４を固定する。この係止片４ａとしては、下方にスライドさせたストッパーリング９が脚４の下方末端から抜け落ちないようにするものであり、ボルトの頭部、石突あるいは輪縁など適宜の形状のものを取り付ければよい。
【０００９】
脚４を三脚状に開く場合には、ストッパーリング９を支柱３の上部の把手支持体５までスライドさせる。また、杖として使用する際には、脚４の中央部の適宜の位置あるいは下部の係止片４ａまでストッパーリング９をスライドさせ、脚４を閉じて固定することができる。これにより不用意に脚４が開くことがなく、携行に便利である。
なお、支柱３には、支柱３を囲繞した状態でバネ７を設けることができる。それによって、開脚時にバネ７がバネストッパー８を押し下げて、その下部に枢着した張出し棒１０により脚４を押し拡げるので、ワンタッチで開脚することが可能である。このようなバネ７を設けずに、単に傘を開く要領で脚４を開いて使用することも可能である。
【００１０】
図２は本発明の椅子兼用杖を杖として使用する際の状態を示す一部縦断側面図である。既に説明したように、一対の把手１を垂直に立て一体化し、杖の握り部を形成するとともに、バネ７の力に抗して把手１を上方に引っ張りつつ、ストッパーリング９を支柱３の下方にスライドすると、張出し棒９が折り畳まれて脚４を閉じることができる。脚４は閉じた状態でストッパーリング９により固定される。図２においてはストッパーリング９は杖の最下部で脚４を一体化し固定している。
【００１１】
図３は把手１を開いた状態を真上から見た平面図である。シートが開き座面２が形成されている。
図４は図１のＩＶ−ＩＶ線における端面図である。張出し棒１０は支柱３の下端のバネストッパー８に設けた三叉ステー１０ａに適宜のボルトで枢着し、張出し棒１０の他端は断面円弧状の脚４に取付けた支持ブロック１０ｂに適宜のボルトで枢着してある。
図２に示すように、支柱３がバネ７の弾力に抗して上方向に押し上げられると、張出し棒１０は折り畳まれて脚４は閉じる。一方、バネ７によりバネストッパー８が下方へ押し下げられると、張出し棒１０はほぼ水平に開き、脚４を三脚状に押し広げる。
なお図において、脚４は３本からなる構成であるが、必ずしも３本に限らず、４本あるいは６本にすることも可能である。
【００１２】
【発明の効果】
上記のような構成を有する本発明の椅子兼用杖は、杖本来の形状である１本の棒状にできるため、他人に違和感を与えずに安心して使用できる。また、把手を開いたときには、安定した座面が確保できるため、安全で使い勝手が良く、しかも全体の構造が簡単であるから軽量で携帯容易な椅子兼用杖を提供することができる。さらに支柱を囲繞する状態にバネを取付けることにより、ワンタッチの開脚が可能となり、さらに使い勝手の良いものになる。
【図面の簡単な説明】
【図１】本発明における携帯用椅子兼用杖を、椅子として使用する際の状態を示す正面図である。
【図２】本発明における携帯用椅子兼用杖を、杖としての使用する際の状態を示す一部縦断側面図である。
【図３】本発明における携帯用椅子兼用杖を椅子として使用する際の、把手部分の平面図である。
【図４】本発明における携帯用椅子兼用杖の図１のＩＶ−ＩＶ線における下側端面図である。
【符号の説明】
１  把手
２  座面
３  支柱
４  脚
５  把手支持体
６  脚支持体
７  バネ
８  バネストッパー
９  ストッパーリング
１０  張出し棒
【図１】
0003623931.tif 000002
【図２】
0003623931.tif 000003
【図３】
0003623931.tif 000004
【図４】
0003623931.tif 000005